(57)【要約】      （修正有）【課題】管理情報領域を読まなくてもデータの先頭アドレスが分かり、再生処理開始時間の短縮が可能であり、交替処理によるデータの信頼性も確保できる記録方法、再生方法、記録媒体を提供する。【解決手段】ユーザーデータ領域の先頭は全て同じ物理アドレスから始め、管理情報領域によらずデータの先頭がわかるようにし、管理情報の可読性の影響無しにユーザーデータの再生が可能とするとともに、ユーザーデータ領域内で記録されたユーザーデータの記録された直後の位置に交替領域を取り、交替処理によるデータの信頼性確保も実現する。【選択図】図１
2014032712.tif 000002
【特許請求の範囲】
【請求項１】
記録用の光ディスクの記録方法であって、
ユーザーデータの記録開始物理アドレスを単一アドレスから、ユーザーデータを記録する処理と、
ユーザーデータの記録用領域内のユーザーデータが記録された最後の位置から所定後の位置から交替領域を設け、ユーザーデータに欠陥があった場合は、該交替領域を用いて交替処理を行うことを特徴とする光ディスクの記録方法。
【請求項２】
前記交替領域は、欠陥の管理テーブルと交替データの領域を含むことを特徴とする請求項１記載の光ディスクの記録方法。
【請求項３】
前記ユーザーデータの記録はシーケンシャルレコーディングで行い、ユーザーデータの記録終了後、前記交替領域を用いた交替処理を行うことを特徴とする請求項１記載の記録方法。
【請求項４】
前記光ディスクは内周側に管理情報領域を有し、
前記管理情報領域の直後に前記ユーザーデータの記録用領域が設けられていることを特徴とする請求項１記載の記録方法。
【請求項５】
前記交替領域のサイズは記録されるユーザーデータのサイズに応じて変化するよう記録することを特徴とする請求項４記載の記録方法。
【請求項６】
記録用の光ディスクであって、
管理領域とユーザーデータの記録用領域を具備し、
前記ユーザーデータの記録用領域は、ユーザーデータを記録する領域で始まり、前記ユーザーデータを記録する領域に続くユーザーデータの交替領域を具備することを特徴とする記録用の光ディスク。
【請求項７】
記録用の光ディスクの再生方法であって、
ユーザーデータの単一アドレスである記録開始物理アドレスをユーザーデータの先頭としてデータの再生を行う処理と、
ユーザーデータに欠陥がある場合は、ユーザーデータの記録用領域内のユーザーデータが記録された最後の位置から所定後の位置から交替領域の交替データを変わりに読み出すことを特徴とする光ディスクの再生方法。
【発明の詳細な説明】
【技術分野】
【０００１】
本発明は、光ディスクの記録方法、再生方法および記録用の光ディスクに関する。
【背景技術】
【０００２】
特許文献１に記載のとおり、現在、青紫色半導体レーザを用いた、民生用光ディスクが実現されている。特許文献１には「ライトワンスメディアにおいて、主データ領域内で追記ポイント等、選択した領域を交替先領域として用いること、また書込要求等の対象のアドレスについて連続記録範囲情報によって記録済／未記録を判断できるようにすること、さらに欠陥交替およびデータ書換のための交替管理情報を統合して混在させるようにすることで、固定の交替領域を設けなくとも、欠陥交替およびデータ書換を可能とする。」と記載されている。
【先行技術文献】
【特許文献】
【０００３】
【特許文献１】特開２０１１−２３３２３０
【発明の概要】
【発明が解決しようとする課題】
【０００４】
しかし、特許文献１では、スペア領域、とりわけ内周側のスペア領域のサイズ、が自由に定められるため、管理情報領域を読むこと無しにユーザーデータの先頭アドレスはわからず、データの可読性への影響、再生処理の複雑化を招いていた。
【０００５】
そこで、本発明の目的は、管理情報領域を読まなくてもデータの先頭アドレスがわかり、ユーザーデータの再生処理開始時間の短縮が可能であるとともに、交替処理によるデータの信頼性確保も実現できる記録方法、再生方法、記録媒体を提供することである。
【課題を解決するための手段】
【０００６】
上記課題は、例えば特許請求の範囲に記載の発明により解決される。
【発明の効果】
【０００７】
本発明によれば、管理情報領域を読まなくてもデータの先頭アドレスがわかり、ユーザーデータの再生処理開始時間の短縮が可能であるとともに、交替処理によるデータの信頼性確保も実現できる。
【図面の簡単な説明】
【０００８】
【図１】本発明によるディスクの構造図
【図２】従来技術によるディスクの構造図
【図３】本発明によるディスクの構造図
【図４】本発明によるディスクの構造図
【図５】本発明によるディスクの構造に対応したＴＤＤＳの例の説明図
【図６】本発明によるディスクの構造に対応したＳＲＲＩの例の説明図
【図７】本発明によるレコーダーで扱うＢＣＡフォーマット図
【図８】本発明に用いる１層ディスクの構造図
【図９】本発明に用いる２層ディスクの構造図
【図１０】本発明に用いるディスクの記録層の構造図
【図１１】本発明に用いるディスクのデータフレーム構造図
【図１２】本発明に用いるディスクのスクランブルドデータフレーム構造図
【図１３】本発明に用いるディスクの２１６行３０４列のデータブロック構成図
【図１４】本発明に用いるディスクのＬＤＣブロック構造図
【図１５ａ】ＬＤＣブロックに対する第１のインターリーブを示す構成図
【図１５ｂ】ＬＤＣブロックに対する第２のインターリーブを示す構成図
【図１６】本発明に用いるディスクのアドレス情報の構造図
【図１７】本発明に用いるディスクのアクセスブロックの構造図
【図１８】本発明に用いるディスクのＢＩＳブロックの構造図
【図１９】本発明に用いるディスクのＢＩＳクラスタの構造図
【図２０】本発明に用いるディスクのＥＣＣクラスタの構造図
【図２１】本発明に用いるディスクの記録フレームの構造図
【図２２】本発明に用いるディスクで用いられる１−７変調の変換図
【図２３】同期フレームの同期信号パターン表
【図２４】本発明に用いるディスクのＢＣＡの位置を示す構造図
【図２５】本発明に用いるディスクのＢＣＡの変調速を示す変換表
【図２６】本発明に用いるディスクのＢＣＡの記録形状を示す図
【図２７】本発明に用いるディスクのＢＣＡのデータ構造図
【図２８】ＢＣＡの同期信号のパターン表
【図２９】ＢＣＡコードのＥＣＣブロックの構成図
【図３０】ＢＣＡのデータブロックの構成図
【図３１】本発明に用いる光ディスク記録再生装置のブロック図
【発明を実施するための形態】
【０００９】
[ディスクのデータ構造]
本発明の第1の実施例である記録方法を、本実施例によるディスク状記録媒体の記録層の構造図（図1）と従来技術によるディスク状記録媒体の記録層の構造図（図２）を用いて説明する。図１はディスク断面を左側を内周、右側を外周とし模式的にあらわしたものである。１０１はＢＣＡ（Ｂｕｒｓｔ  Ｃｕｔｔｉｎｇ  Ａｒｅａ）であり、ディスク固有の情報等が記録されている。１０２は管理情報領域であり、ディスクに関する属性の情報や制御情報等が記録されている。Ｌｅａｄ-ｉｎとも称する。１０３はユーザーデータ領域であり、ＡＶデータなどのユーザーデータが記録されている。１０４は外周側の管理情報領域であり、管理情報を内周側と多重書きすることでロバスト性を向上させている。１０３のユーザーデータ領域は内周側からシーケンシャルにユーザーデータを記録する複数のＳＲＲ（シーケンシャル  レコーディング  レンジ）１０５、１０６を持つ。ユーザーデータ領域内のＳＲＲの後方に、欠陥クラスタの交替領域であるスペアエリア（ＳＡ）１０７を配置する。すなわちユーザーデータ領域内のユーザーデータを記録する残りの領域にスペアエリアを配置する。一方、図２は、従来技術によるディスクのディスク断面を左側を内周、右側を外周とし模式的にあらわしたものである。
【００１０】
１０１はＢＣＡ（Ｂｕｒｓｔ  Ｃｕｔｔｉｎｇ  Ａｒｅａ）であり、ディスク固有の情報等が記録されている。１０２は管理情報領域であり、ディスクに関する属性の情報や制御情報等が記録されている。Ｌｅａｄ-ｉｎとも称する。２０１は内周側に配置された欠陥クラスタの交替領域であるＩＳＡ（インナースペアエリア）である。ＩＳＡのサイズはディスクの種類やアプリケーションなどによりあらかじめ定められ、その大きさは管理情報領域に記録される。１０３はユーザーデータ領域であり、ＡＶデータなどのユーザーデータが記録されている。２０２は外周側に配置された欠陥クラスタの交替領域であるＯＳＡ（アウタースペアエリア）である。ＯＳＡのサイズはディスクの種類やアプリケーションなどによりあらかじめ定められ、その大きさは管理情報領域に記録される。
【００１１】
ユーザーデータ領域１０３は、内周側からシーケンシャルにユーザーデータを記録する複数のＳＲＲ（シーケンシャル  レコーディング  レンジ）１０５、１０６を本願と同様に持つが、スペア領域はユーザー領域１０３の中には存在しない。
【００１２】
従って、図１に示される実施例においては、ユーザーデータ領域の先頭アドレスはＩＳＡのサイズに従って先頭アドレスが変わる従来例とは異なり、管理情報領域１０２の直後からユーザーデータ領域の先頭アドレスの位置となるので、ＩＳＡのサイズを管理情報領域１０２に記載されたサイズを読むこと無しに、ユーザーデータの読み出しが開始可能となる。これにより、ユーザーデータの読み出し処理を簡単且つ確実にする。また、ユーザーデータの再生処理開始時間の短縮も可能となる。
【００１３】
また、スペアエリア領域１０７がユーザーデータ領域内に確保されているため、欠陥があるクラスタの交替が可能であり、この点において、ユーザーデータの信頼性を従来技術と同様に持つことができる。また、スペア領域１０７はユーザーデータが記録されたＳＲＲの直後に配置されるため、ＳＲＲのサイズを記録するデータのサイズと同じになるようにすることで、記録されたデータの最終アドレスまで再生すれば、自動的にスペア領域の先頭アドレスを見つけ出すことができる。更に、スペア領域１０７はユーザーデータエリア１０３内の最後のＳＲＲの後方に配置するので、欠陥処理に対応しない再生装置によっても、ＳＲＲに記録されるデータの読み出しについて、サイズを管理情報領域１０２に記載されたサイズを読むこと無しに、ユーザーデータの読み出しを開始可能という利点を共通に持つことが可能となる。これは、記録するユーザーデータの後端に最終端であることを示すアンカーデータを記録するようにすれば更に確実になる。
【００１４】
また、本実施例では、スペアエリアをＳＲＲの直後としたが、所定の量を空けたあとにスペア領域を設けても良い。
【００１５】
また、１回に記録するユーザーデータのデータ量に応じてスペアエリアの大きさを設定してもよい。例えば、ユーザーデータ領域の大きさが２５ギガバイトのディスクを例にして説明する。ホストから２０ギガバイトのデータを記録すべき旨の記録指令がなされた場合、残りの５ギガバイトを記録された２０ギガバイトのデータに対するスペアエリアとして設け、ホストから１７ギガバイトのデータを記録すべき旨の記録指令がなされた場合、残りの８ギガバイトを記録された１７ギガバイトのデータに対するスペアエリアとして設けてもよい。これにより、効率的な記録処理が可能となる。
【００１６】
ここで、１回に記録するユーザーデータのデータ量に応じて、スペアエリアを十分に確保出来ない場合が考えられる。この場合、スペアエリアとして確保する閾値（最小データ量）を設け、１回に記録するユーザーデータのデータ量を所定の閾値よりも大きくならないようにホスト側で設定させてもよい。
【００１７】
次に、本発明の第２の実施例を図３を用いて説明する。図３は、本実施例によるディスク状記録媒体の記録層の構造図であり、ディスク断面を左側を内周、右側を外周とし模式的にあらわしたものである。１０１、１０２、１０３、１０４は図1と共通の構成要素であるが、１０３のユーザーデータ領域内の内周側からシーケンシャルにユーザーデータを記録するＳＲＲ（シーケンシャル  レコーディング  レンジ）３０１の数は1個に限定されている。また、スペアエリア（ＳＡ）１０７の配置例として、交替元、交替先の関係を示すテーブル等からなる、ディフェクト管理情報３０３と、交替データの領域３０４からスペアエリア１０７は構成される。本実施例に拠れば、実施例1の効果を実現した上で、さらに、ＳＲＲが一個なので、ディスクアットワンスの書き込み処理に限定すれば、ＳＲＲのサイズを記録するデータのサイズと同じになるようにするのは容易となる。また、ディフェクト管理情報３０３を位置の同定が容易なスペアエリア１０７の先頭としているため、交替処理の管理情報の位置を容易に見つけ出すことができる。また、ＳＲＲに記録するユーザーデータを全て書いてしまってから、データを全てチェックして欠陥箇所に対して交替処理を行うようにすれば、ユーザーデータの記録する位置の最終箇所は明確であるし、外周側にしか交替領域が無くてもアクセス数は多くならないため高速に可能である。
【００１８】
次に、図４は、第1の実施例、第２の実施例における、管理情報領域１０２，１０４の例を示したものである。内周側の管理情報領域１０２には、ディスクマネージメントエリアＤＭＡ２（４０１）、オプティマムパワーコントロールエリアＯＰＣ（４０２）、テンポラリディスクマネージメントエリアＴＤＭＡ１（４０３）、ディスクマネージメントエリアＤＭＡ１（４０４）が配置されている。
外周側の管理情報領域１０４には、ディスクマネージメントエリアＤＭＡ３（４０５）、ディスクマネージメントエリアＤＭＡ４（４０６）が配置されている。ＴＤＭＡ１（４０３）はライトワンス媒体特有のものであり、記録を停止するごとに記録データの属性に関する最新の情報が追加記録されるエリアである。ＴＤＭＡ内の使用法は後述する。ＤＭＡ１，２，３，４エリアには、ディスクをクローズするときにＴＤＭＡに追記される情報の最終のものがそれぞれコピーされて、ロバスト性の向上を行う。ＯＰＣ（４０２）には、パワーを最適化するための試し書きを行うのに用いる。ＴＤＭＡ１（４０３）には、テンポラリディスクマネージメントストラクチャＴＤＭＳの単位でライトを停止する都度更新される。（４０７，４０８）。ＴＤＭＳ（４０７，４０８）には、
テンポラリディスクデフィニッションストラクチャＴＤＤＳ４０９、ＳＲＲインフォメーションＳＲＲＩ４１０を配置する。ＴＤＤＳ４０９の構造の例を図５で、ＳＲＲＩ４１０の構造の例を図６に示す。図５においてＤＤＳ識別子５０１はＤＤＳの先頭を示す識別子５０１である。５０２はユーザーデータ領域の開始物理アドレスであり、図１、図２のＡ点のアドレスが格納される。503はユーザーデータ領域の終了物理アドレスであり、図１、図２のＢ点のアドレスが格納される。５０４はユーザーデータ領域の最終記録アドレスであり、図１、図２のＣ点のアドレスが格納される。図６において、ＳＲＲＩ識別子６０１はＳＲＲＩの先頭を示す識別子である。６０２は図１、図２におけるＳＲＲ＃１の先頭物理アドレスである。６０３は図１、図２におけるＳＲＲ＃１の終了物理アドレスである。６０４は図１のＳＲＲ＃２の先頭物理アドレスである。６０５は図１のＳＲＲ＃２の終了物理アドレスである。より多くのＳＲＲがあれば更に続く。以上、図４、図５、図６の管理情報領域の説明の例に拠れば、第1の実施例、第２の実施例に示した、ユーザーデータエリア内のＳＲＲの直後にスペアエリアを配置することが可能となる。
【００１９】
本実施例の記録再生ディスクのＢＣＡのデータフォーマットについて説明する。
【００２０】
図７は固体識別が可能なＢＣＡに用いられるデータブロックのフォーマットを示したものである。図７のフォーマットに従ったディスクは既に市場に存在し、図７において縦方向のＢｙｔｅは何Ｂｙｔｅ目のデータであるかを示し、横方向のＢｉｔは何Ｂｉｔ目のデータであるかを示す。図７においてＢＣＡのＢｙｔｅ０は、コンテンツコードでありそのうちのＢｉｔ７からＢｉｔ２は識別子（アプリケーションＩＤ）であり、この場合は０００００１がセットされるとする。Ｂｙｔｅ０のＢｉｔ１，０はシーケンス番号であり、ＢＣＡが複数のデータブロックからなる場合は何個目のシーケンスであるかを示す。シーケンス番号については後述するＢＣＡの説明においても示す。Ｂｙｔｅ１，Ｂｙｔｅ２は、製造者の識別コードである。Ｂｙｔｅ３からＢｙｔｅ１５はディスク１枚ごとに付加されるユニークな番号である。つまり固体識別が可能な番号である。上記実施例１，２で説明した管理情報領域１０２の直後がユーザーデータ領域の先頭アドレスであるディスクであることを示すディスクの種別情報をＢＣＡに記録してもよい。これにより、迅速かつ確実に上述した上記実施例の効果を得ることができる。
【００２１】
[ディスクの形状]
本実施例に用いるディスクの形状について説明する。図８に１層ディスクを示す。また、図９は２層ディスクを示す。図８に示される１層ディスクにはレーベルが書かれる側のレーベル面と、再生するための光ビームが入射する側の記録面が存在する。記録面側から記録面を保護するカバー層、信号が記録されている記録層、そしてその下の基盤層からなる。図９に示される２層ディスクにもレーベルが書かれる側のレーベル面と、再生するための光ビームが入射する側の記録面が存在する。記録面側から記録面を保護するカバー層、信号が記録されている記録層（Ｌ１）、もう一つの記録層との間を隔てるスペース層、もう一つの信号が記録されている記録層（Ｌ０）そしてその下の基盤層からなる。
【００２２】
次に１層ディスク及び２層ディスクの記録層の構造を図１０に示す。図１０はディスク断面を左側を内周、右側を外周とし模式的にあらわしたものである。図１０（ａ）Ｌ０ディスク構造は、１層ディスク及び２層ディスクの記録層Ｌ０のディスク構造を示す。図１０（ｂ）Ｌ１ディスク構造は、２層ディスクの記録層Ｌ１のディスク構造を示す。
【００２３】
図１０（ａ）Ｌ０ディスク構造において、１００１はＢＣＡ（Ｂｕｒｓｔ  Ｃｕｔｔｉｎｇ  Ａｒｅａ）であり、ディスク固有の情報等が記録されている。１００２はＩｎｎｅｒ  Ｚｏｎｅ０であり、ディスクに関する属性の情報や制御情報等が記録されている。Ｌｅａｄ-ｉｎとも称する。１００３はＤａｔａ  Ｚｏｎｅ０であり、ＡＶデータなどのユーザーデータが記録されている。１００４はＯｕｔｅｒ  Ｚｏｎｅ０であり制御情報などが記録されている。Ｉｎｎｅｒ  Ｚｏｎｅ０（１００２）は、Ｐｒｏｔｅｃｔｉｏｎ  Ｚｏｎｅ１（１００５）、ＰＩＣ（１００６）、Ｐｒｏｔｅｃｔｉｏｎ  Ｚｏｎｅ２（１００７）、ＩＮＦＯ０２（１００８）、ｒｅｓｅｖｅｄ（１００９）、ＩＮＦＯ０１（１０１０）からなる。Ｐｒｏｔｅｃｔｉｏｎ  Ｚｏｎｅ１（１００５）はＢＣＡ（１００１）とＰＩＣ（１００６）を隔てるための領域である。ＰＩＣ(１００６)はディスクのタイプに関する情報や、ディスクのサイズに関する情報や、ディスクのバージョンに関する情報や、ディスクの構造に関する情報や、チャネルビット長に関する情報や、ＢＣＡの有無に関する情報や、適用の最大伝送速度に関する情報などが記録されている。Ｐｒｏｔｅｃｔｉｏｎ  Ｚｏｎｅ２（１００７）は、ＰＩＣ（１００６）とＩＮＦＯ０２（１００８）を隔てるための領域である。ＩＮＦＯ０２（１００８）には制御情報が記録されている。ｒｅｓｅｖｅｄ（１００９）は予備の領域である。ＩＮＦＯ０１（１０１０）には制御情報が記録されている。Ｏｕｔｅｒ  Ｚｏｎｅ０（１００４）は、ＩＮＦＯ３／４（１０１１）とＰｒｏｔｅｃｔｉｏｎ  Ｚｏｎｅ３（１０１２）からなる。ＩＮＦＯ３／４（１０１１）には制御情報が記録されている。Ｐｒｏｔｅｃｔｉｏｎ  Ｚｏｎｅ３（１０１２）はＩＮＦＯ３／４（１０１１）を更に外周部分と隔てる。図１０（ａ）Ｌ０ディスク構造の内周から外周に向かっての矢印は、１層ディスク及び２層ディスクの記録層Ｌ０は内周から外周に向かってＲｅａｄするように記録されていることを示す。
【００２４】
図１０（ｂ）Ｌ１ディスク構造において、１０１４はＩｎｎｅｒ  Ｚｏｎｅ１であり、ディスクに関する属性の情報や制御情報等が記録されている。Ｌｅａｄ-ｏｕｔとも称する。１０１５はＤａｔａ  Ｚｏｎｅ０であり、ＡＶデータなどのユーザーデータが記録されている。１０１６はＯｕｔｅｒ  Ｚｏｎｅ１であり制御情報などが記録されている。Ｉｎｎｅｒ  Ｚｏｎｅ１（１０１４）は、Ｐｒｏｔｅｃｔｉｏｎ  Ｚｏｎｅ１（１０１７）、ＰＩＣ（１０１８）、Ｐｒｏｔｅｃｔｉｏｎ  Ｚｏｎｅ２（１０１９）、ＩＮＦＯ０２（１０２０）、ｒｅｓｅｖｅｄ（１０２１）、ＩＮＦＯ０１（１０２２）からなる。Ｐｒｏｔｅｃｔｉｏｎ  Ｚｏｎｅ１（１０１７）はより内周側とＰＩＣ（１０１８）を隔てるための領域である。ＰＩＣ(１０１８)はディスクのタイプに関する情報や、ディスクのサイズに関する情報や、ディスクのバージョンに関する情報や、ディスクの構造に関する情報や、チャネルビット長に関する情報や、ＢＣＡの有無に関する情報や、適用の最大伝送速度に関する情報などが記録されている。Ｐｒｏｔｅｃｔｉｏｎ  Ｚｏｎｅ２（１０１９）は、ＰＩＣ（１０１８）とＩＮＦＯ０２（１０２０）を隔てるための領域である。ＩＮＦＯ０２（１０２０）には制御情報が記録されている。ｒｅｓｅｖｅｄ（１０２１）は予備の領域である。ＩＮＦＯ０１（１０２２）には制御情報が記録されている。Ｏｕｔｅｒ  Ｚｏｎｅ１（１０１６）は、ＩＮＦＯ３／４（１０２３）とＰｒｏｔｅｃｔｉｏｎ  Ｚｏｎｅ３（１０２４）からなる。ＩＮＦＯ３／４（１０２３）には制御情報が記録されている。Ｐｒｏｔｅｃｔｉｏｎ  Ｚｏｎｅ３（１０２４）はＩＮＦＯ３／４（１０２３）を更に外周部分と隔てる。図１０（ｂ）Ｌ１ディスク構造の外周から内周に向かっての矢印は、２層ディスクの記録層Ｌ１は外周から内周に向かってＲｅａｄするように記録されていることを示す。
【００２５】
[データのエンコード処理]
ユーザーデータの記録処理について説明する。図１１に示すとおり、ユーザーデータを２０４８バイト単位に分割し、それぞれに４バイトの誤り検出コードを付加して２０５２バイトのデータフレームを構成する。次に、各データフレームに対し図１２に示すとおりスクランブル処理を行い、スクランブルドデータフレームを構成する。次に図１２に示すとおり、スクランブルドデータフレームを３２個集める。次に列順に再配置を行い、図１３に示すとおり２１６行３０４列のデータブロックを構成する。そして、図１４に示すとおり、データブロックの各列に対して(２４８，２１６，３２)のリードソロモン符号で符号化を行い、３２バイトのパリティを付加し新たに２４８行３０４列のＬＤＣ（Long Distant Code）ブロックを構成する。ＬＤＣブロックに対しては次の第１のインターリーブと、第２のインターリーブが処理される。第１のインターリーブは図１５ａに示されるように、偶数番目の列のデータとそれに続く奇数番目の列のデータを互い違いに挟み込むように再配置を行い４９６行１５２列のブロックを構成する。第２のインターリーブは図１５ｂ示すとおり、再配置された４９６行１５２列のブロックに対し、上から２行単位で、最初の２行はシフトせず、次の２行は左に３バイトシフト、次の２行は６バイトシフト、次の２行は左に９バイトシフトと３バイトずつシフト量を増加させる再配置を行う。第１のインターリーブ、第２のインターリーブを施したデータはＬＤＣクラスタを構成する。
【００２６】
一方、このデータブロックに付加されるアドレスは以下のように生成される。
図１６に示されるようにデータブロックは１６のアドレスユニットに分割され、それぞれに９バイトのアドレス情報が割り当てられる。９バイトの内訳は、４バイトのアドレスと、１バイトのフラグ情報と、５バイトのアドレスとフラグ情報に付加されたパリティとからなる。このアドレスはインターリーブ処理を行ったうえで、６行２４列のマトリックスを形成する。同時にユーザー制御データ１８バイト、３２ユニット分が２４行２４列のマトリックスに配置される。
上記の６行２４列のマトリックスと２４行２４列のマトリックスは結合され、図１７に示す３０行２４列のアクセスブロックを形成する。アクセスブロックの各列に対して（６２，３３，３２）のリードソロモン符号で符号化を行い、３２バイトのパリティを付加して図１８に示す、６２行２４列のＢＩＳ（Burst Indicating Subcode）ブロックを形成する。ＢＩＳブロックのデータに対し再配置を行い図１９に示す４９６行３列のＢＩＳクラスタを構成する。
【００２７】
前記のＬＤＣクラスタを３８列ずつに分割し、間にＢＩＳクラスタのデータを一列ずつ挿入し図２０に示すＥＣＣクラスタを構成する。
【００２８】
ＥＣＣクラスタの各行１５５バイトのデータに対しては、先頭に２０ビットのフレーム同期信号が付加し、１５５バイトのデータは先頭２５ビット、以降は４５ビットずつに分割し、間にＤＣコントロールビットを挿入し、図２１に示す記録フレームを構成する。ＤＣコントロールビットは変調後のＤＳＶが０に近くなるように制御される。
【００２９】
記録フレームのデータに対する変調は図２２に示されるテーブルに従って１７変調を行う。フレーム同期信号は図２３に示されるように３０bitsの同期コードを用いて付加される。図２３において、＃は同期コードの前の変調後のデータが0000もしくは00で終端された場合は１となり、他の場合は０となる。
[ＢＣＡ]
図１０で示されたＢＣＡの配置を、光ディスク２４０１の上から見た配置図で、図２４に示す。光ディスク２４０１の半径２１．３ｍｍから２２．０ｍｍまでの範囲には、同心円状にバーストカッティングエリア（ＢＣＡ）２４０２が形成される。また、２４０３はセンターホールである。このＢＣＡには、ディスクＩＤ等のディスク固有の情報もしくは、ディスクの準拠するフォーマット情報等が格納されている。こうした情報は１周が略４７５０チャネルビットであるのに対し、４６４８チャネルビットを占める。
【００３０】
バーストカッティングエリア２４０２に記録されるデータの変調方法を図２５に示す。本変調方式では、２ビットのデータが７ビットデータとして変調される。変調後の７ビットデータは、前半３ビットが同期部、後半４ビットがデータ部として構成される。同期部は“０１０”のみで構成される。データ部は４ビットのうちのいずれかのビットに“１”が設定され、それ以外のビットは“０”と設定される。図２５において、元データが“００”であれば、データ部が“１０００”と変調される。同様に元データ“０１”、“１０”、“１１”はそれぞれデータ部“０１００”、“００１０”、“０００１”と変調される。
【００３１】
同期部とデータ部がバーストカッティングエリア２４０２に記録されている状態を模式的に図２６に示す。この場合、“０１０１０００”のデータを示している。ビット“１”の場合は、低反射率部が形成される。ビット“０”の場合はこの低反射率部が形成されずに、ディスク反射率の変化がほぼゼロとなる。
【００３２】
バーストカッティングエリア２４０２に記録されるデータ構造を図２７に示す。図２７において、各行が５バイトで構成される。各行の先頭１バイトは同期バイトであり、後方４バイトがデータとされる。
【００３３】
第１行目はプリアンブルとされ、全て００ｈとされる。
【００３４】
第１の同期バイトは第１行目のみに用いるため、これを検出することにより、ＢＣＡコードの開始位置を検出することが可能である。もしくは、第１の同期バイト以降の００ｈデータと併せて検出することも可能である。第２行目から第３３行目までは、４行単位で領域が区分される。第２行目から第５行目までには、ユーザデータＩ０,０からＩ０,１５の１６バイトのデータが配置される。続いて、第６行目から第９行目までには、第２行目から第５行目までのユーザデータＩ０,０からＩ０,１５に対応する１６バイトのパリティＣ０,０からＣ０,１５が配置される。この第２行目から第５行目までのユーザデータと第６行目から第９行目までのパリティによって、１つのＥＣＣブロックが構成される。
【００３５】
同様に、第１０行目から第１３行目までにユーザデータＩ１,０からＩ１,１５が配置され、第１４行目から第１７行目に対応するパリティＣ１,０からＣ１,１５が配置される。第１８行目から第２１行目までにユーザデータＩ２,０からＩ２,１５が配置され、第２２行目から第２５行目に対応するパリティＣ２,０からＣ２,１５が配置される。第２６行目から第２９行目までにユーザデータＩ３,０からＩ３,１５が配置され、第３０行目から第３３行目に対応するパリティＣ３,０からＣ３,１５が配置される。
【００３６】
第２行目から第５行目の同期バイトはＳＢ００とされる。第６行目から第９行目までの同期バイトはＳＢ０１とされる。第１０行目から第１３行目までの同期バイトはＳＢ０２とされる。第１４行目から第１７行目までの同期バイトはＳＢ０３とされる。第１８行目から第２１行目までの同期バイトはＳＢ１０とされる。第２２行目から第２５行目までの同期バイトはＳＢ１１とされる。第２６行目から第２９行目までの同期バイトはＳＢ１２とされる。第３０行目から第３３行目までの同期バイトはＳＢ１３とされる。第３４行目にはデータは配置されず、同期バイトのＳＢ３２のみが配置される。図２７のデータは図２５の変調方式に従い、変調される前のデータを示している。そのデータ量は１６６バイトとなる。（＝５バイト×４行×８セット＋５バイト＋１バイト）この情報が変調された結果、４６４８チャネルビットとなる。（＝１６６×８×７／２）
図２７の同期信号の具体的なデータ列を図２８に示す。なお、図２８の例は変調後のチャネルビット列として表される。２８チャネルビットの同期バイトは１４チャネルビットのシンクボディと、１４チャネルビットのシンクＩＤとで構成される。１４チャネルビットのシンクボディは７チャネルビットのシンクボディ１と、７チャネルビットのシンクボディ２とで構成される。１４チャネルビットのシンクＩＤは、７チャネルビットのシンクＩＤ１と、７チャネルビットのシンクＩＤ２とで構成される。
【００３７】
なお、シンクボディは先に記した本来の変調則に従わないパターンとなっている。すなわち、図２５に記されるように本変調則に従えば、その同期部は“０１０”とされるはずである。しかし、シンクボディ２の同期部は“０１０”とは異なる“００１”とされている。従って、同期バイトをデータから識別することが可能である。
【００３８】
各同期バイトのシンクボディ１はいずれも“０１０  ０００１”とされ、シンクボディ２は“００１  ０１００”とされる。これに対し、シンクＩＤは、同期バイト毎に異なる値とされ、これにより同期バイトを識別することが可能となっている。このように、各同期バイトが異なるため、識別が可能となる。
【００３９】
ＢＣＡコードのＥＣＣブロックの構成を図２９に示す。ＥＣＣはＲＳ（２４８，２１６，３３）のリードソロモン符号が用いられる。これは、図１４のＥＣＣブロックと同様のリードソロモン符号である。ただし、ＢＣＡコードのＥＣＣブロックは図２９のように、先頭の２００バイトは固定データとされ、例えばＦＦｈが使用される。この固定データに続く１６バイトのデータが実質的なＢＣＡのユーザデータとされる。２００バイトの固定データと、１６バイトのＢＣＡデータとを用いて、３６バイトのパリティが計算する。
【００４０】
なお、本発明における２１６バイトのデータのうち、先頭２００バイトは固定データであり、光ディスクには記録されない。同様に、３２バイトのパリティのうち、先頭１６バイトのパリティＣ０からＣ１５のみが光ディスク１に記録され、残りの１６バイトのパリティは記録されない。復号時には、２００バイトの固定データは、同一の値がそのまま用いられる。また、記録されない１６バイトのパリティは消失フラグとして復号される。つまり、３２バイトのパリティのうち、後半の１６バイトは位置するパリティが、消失したものとして処理される。パリティの１／２が消失したとしても、その位置が既知であるため、元のパリティを復号することが可能である。
【００４１】
このように、ユーザデータエリアに記録されるユーザデータのＥＣＣと同じＲＳ（２４８，２１６，３３）を用いることで、ＢＣＡにおいても非常に強力なエラー訂正能力を実現可能となる。また、同一のハードウェアでの構成が可能となるので、回路規模を低減でき、コスト低減することができる。更に、３２バイトのみを記録すればよく、２４８バイト全てを記録する場合に比べ、データ容量を大きくすることができる。
【００４２】
次に、ＢＣＡのデータブロックの構成を図３０に示す。本発明において、４個のＥＣＣブロックがバーストカッティングエリア２４０２に記録される。各ＥＣＣブロックの１６バイトのデータは、先頭の１バイトのコンテンツコードと、続く１５バイトのコンテンツデータで構成される。ＢＣＡのコンテンツコードは、先頭のビット７からビット２までの６ビットがアプリケーションＩＤとされ、最後のビット１、ビット０の２ビットがシーケンス番号とされる。
【００４３】
光ディスク記録再生装置は、取り決められたアプリケーションＩＤを有する光ディスクに対してのみ、データの記録する、もしくは再生することが可能とされる。例えば、特定のアプリケーションＩＤを有するディスクに対して、コンテンツデータを保護するために必要な、コンテンツの暗号化／復号化の鍵情報等を記録することができる。
【００４４】
シーケンス番号は２ビットで構成され、“００”、“０１”、“１０”、“１１”のいずれかとされる。各ＥＣＣブロックのコンテンツデータが１４バイト以下である場合にはそれぞれのシーケンス番号は“００”とされる。
【００４５】
次にコンテンツデータの格納方法を示す。例えば、４つのＥＣＣブロックのうち、先頭の２個のＥＣＣブロックの各コンテンツデータとして、同一のコンテンツデータを格納した場合（この場合は、同一アプリケーションＩＤの同一コンテンツデータの２重書きである）、それぞれのＥＣＣブロックのシーケンス番号は“００”とされる。すなわち、同一のコンテンツデータを記録する場合には、２つのＥＣＣブロックのシーケンス番号は同一番号とされる。
【００４６】
続いて、残りの２個のＥＣＣブロックに、最初のＥＣＣブロックのアプリケーションＩＤとは異なるコンテンツデータを２４バイト格納する場合、１番目のシーケンス番号は“００”とされ、２番目のＥＣＣブロックのシーケンス番号は“０１”とされる。すなわち、複数のＥＣＣブロックにまたがる場合には、通し番号が格納される。
【００４７】
このように、各ＥＣＣブロックに、アプリケーションＩＤとシーケンス番号が記録されるので、それらから判断して、いずれのＥＣＣブロックに所望のデータが格納されているのか、また多重書きであるかという識別が可能である。
【００４８】
なお、図３０のデータブロックのＢＣＡコンテンツコード、及びコンテンツデータが、図２７の先頭ＥＣＣブロックのＩ０,０からＩ０,１５に対応する。
【００４９】
[ディスクの記録再生装置]
本発明に好適として形状、データのエンコード処理、ＢＣＡについて説明した再生専用ディスクの再生と、前記再生専用ディスクと概ね共通フォーマットを持つ記録可能ディスクの記録再生を行う記録再生装置の説明を図３１を用いて行う。また、図３１に示される記録再生装置は図３に示される家庭用光ディスクレコーダーの光ディスク記録再生部に対応する。図３１は記録再生装置のブロック図である。図３１において、３１００は図８，９，１０に示される再生専用ディスクもしくは、概ね共通の形状をとる記録可能ディスクである。３１０１はディスク３１００を回転させるディスクモータ、３１０２はディスク３１００にレーザー光を照射し、反射光を検出し再生信号を得る光ピックアップである。また３１０２は記録時には的確に整形された波形のレーザー光をディスク３１００に照射して記録を行う。３１０３はアナログフロントエンドであり、光ピックアップ３１０２で検出された信号の波形整形やサーボ信号の生成などを行う。３１０４は復調処理回路であり、波形整形された信号の２値化や、データのエンコード処理で説明した１−７変調に基づいた復調処理などを行う。３１０５はＤＲＡＭ（Ｄｙｎａｍｉｃ  Ｒａｎｄｕｍ  Ａｃｃｅｓｓ  Ｍｅｍｏｒｙ）であり、復調処理されたデータ、訂正処理中、入出力データ、変調処理前のデータなどの一時記憶に用いられる。３１０６はＥＣＣ（Ｅｒｒｏｒ  Ｃｏｒｒｅｃｔｉｏｎ  Ｃｉｒｃｕｉｔ）であり、再生処理時にはＤＲＡＭ３１０５に一時記憶された復調処理済のデータに対し、誤り訂正処理をおこない、記録処理時には、ＤＲＡＭ３１０５に一時記憶された入力データに対し、誤り訂正符号の付加を行う。３１０７はインターフェース回路であり、ＤＲＡＭ１０５に一時記憶されたデータを出力端子３１１４からの出力したり、入力端子３１１３からの入力データをＤＲＡＭ３１０５に記憶させたり、ＤＲＡＭ３１０５に記憶されたＢＣＡ関連情報の出力端子３１１５からの出力などインターフェース処理を行う。３１１３と３１１５共通化することもできる。また、双方向化することで３１１３，３１１４，３１１５を共通化することも可能である。３１０８は変調回路であり、記録時には、ＤＲＡＭ３１０５から読み出したデータに対して、データのエンコード処理で説明した１−７変調に基づいた変調処理を行い、変調データをＬＤＤ（Ｌａｓｅｒ  Ｄｉｏｄｅ  Ｄｒｉｖｅｒ）３１０９に供給する。ＬＤＤ３１０９は記録時には、変調データに対して、記録に適切な記録波形を光ピックアップ３１０２に供給し、ピックアップ３１０２は記録波形に従って発光して記録を行う。３１１０はＢＣＡデコーダーであり、ＢＣＡの再生時には、[ＢＣＡ]で説明されたように低反射率の有無によって記録された、ＢＣＡのデータブロックのデコード処理を行う。
【符号の説明】
【００５０】
１０１…ＢＣＡ、１０２…管理情報領域、１０３…ユーザーデータ領域、１０４…管理情報領域、１０５…シーケンシャルレコーディングレンジ、１０６…シーケンシャルレコーディングレンジ、１０７…スペアエリア
【図１】
2014032712.tif 000003
【図２】
2014032712.tif 000004
【図３】
2014032712.tif 000005
【図４】
2014032712.tif 000006
【図５】
2014032712.tif 000007
【図６】
2014032712.tif 000008
【図７】
2014032712.tif 000009
【図８】
2014032712.tif 000010
【図９】
2014032712.tif 000011
【図１０】
2014032712.tif 000012
【図１１】
2014032712.tif 000013
【図１２】
2014032712.tif 000014
【図１３】
2014032712.tif 000015
【図１４】
2014032712.tif 000016
【図１５ａ】
2014032712.tif 000017
【図１５ｂ】
2014032712.tif 000018
【図１６】
2014032712.tif 000019
【図１７】
2014032712.tif 000020
【図１８】
2014032712.tif 000021
【図１９】
2014032712.tif 000022
【図２０】
2014032712.tif 000023
【図２１】
2014032712.tif 000024
【図２２】
2014032712.tif 000025
【図２３】
2014032712.tif 000026
【図２４】
2014032712.tif 000027
【図２５】
2014032712.tif 000028
【図２６】
2014032712.tif 000029
【図２７】
2014032712.tif 000030
【図２８】
2014032712.tif 000031
【図２９】
2014032712.tif 000032
【図３０】
2014032712.tif 000033
【図３１】
2014032712.tif 000034